(57)【要約】【課題】各店舗で組み立て作業が行いやすいユニット化された循環搬送装置を提供する。【解決手段】ユニット化された飲食物循環搬送装置１は、循環搬送路５の一部を構成する循環搬送路ユニット５０と、循環搬送路ユニット５０を載置する架台ユニット７０と、架台ユニット７０に載置されるテーブルの一部を構成するテーブルユニット８０Ａ、８０Ｂとを有する。ユニット化された飲食物循環搬送装置１は、循環搬送路ユニット５０と架台ユニット７０側とを結合させる結合部材としてのハット９０を備える。循環搬送路ユニット５０は、架台ユニット７０の上側に載置され、結合部材のハット９０は、循環搬送路ユニット５０の下側に装着され、架台ユニット７０側のテーブルユニット８０に結合される。【選択図】図２
2013202114.tif 000002
【特許請求の範囲】
【請求項１】
循環搬送路を備えるユニット化された循環搬送装置において、
前記循環搬送路の一部を構成する循環搬送路ユニットと、
前記循環搬送路ユニットを載置する架台ユニットと、
前記架台ユニットに載置されるテーブルの一部を構成するテーブルユニットと、
前記循環搬送路ユニットと前記架台ユニット側とを結合させる結合部材と、
を有し、
前記架台ユニットは、前記テーブルユニットが載置されるテーブル載置部を備え、
前記循環搬送路ユニットは、前記架台ユニットの上側に載置され、
前記結合部材は、前記循環搬送路ユニットの下側に装着され、前記架台ユニット側に結合されることを特徴とするユニット化された循環搬送装置。
【請求項２】
前記テーブルユニットは、前記架台ユニットの前記テーブル載置部に載置された際に、前記テーブル載置部に固定され、
前記結合部材は、前記架台ユニットに前記循環搬送路ユニットが載置された際に、前記架台ユニット側である前記テーブル載置部に載置された前記テーブルユニットに結合されることを特徴とする請求項１に記載のユニット化された循環搬送装置。
【請求項３】
前記結合部材は、前記循環搬送路ユニットの前記循環搬送路の幅の長さに対応する長辺部を備え、
前記循環搬送路ユニットは、前記結合部材を保持する保持部を備えることを特徴とする請求項１または２に記載のユニット化された循環搬送装置。
【請求項４】
前記結合部材は、他の部材を載置する他部材載置面と、前記架台ユニットの上面側に接触する架台接触面を備えるハット形状で構成されることを特徴とする請求項１ないし３のいずれかに記載のユニット化された循環搬送装置。
【請求項５】
前記架台ユニットは、当該架台ユニットに前記循環搬送路ユニットが載置された際に、当該架台ユニットの上面と当該循環搬送路ユニットの下面との間に線路を配置する架台配線受け部を、当該架台ユニットの上面に備えることを特徴とする請求項１ないし４のいずれかに記載のユニット化された循環搬送装置。
【請求項６】
前記循環搬送装置は、隣り合う二つの架台ユニットを接続する接続ユニットを有し、
前記架台ユニットは、前記接続ユニットの一端が接続される接続部を備え、
前記循環搬送路ユニットは、前記架台ユニットおよび前記接続ユニットの上側に載置され、前記架台ユニット側に結合されることを特徴とする請求項１ないし５のいずれかに記載のユニット化された循環搬送装置。
【請求項７】
前記架台ユニットは、配管を配置する配管受け部と、当該架台ユニットの下側に配置されるカバー部材を取り付けるカバー取付部と、当該架台ユニットを床面に固定する固定部と、前記循環搬送路の駆動部を取り付ける駆動部取付け部とのうち少なくとも一つを備えることを特徴とする請求項１ないし６のいずれかに記載のユニット化された循環搬送装置。
【発明の詳細な説明】
【技術分野】
【０００１】
本発明は、飲食物を載置した飲食物容器を循環搬送する循環搬送装置において、特に、循環搬送装置を各店舗に設置する場合に、各店舗の大きさや要求される配置に対応可能で、設置が容易なユニット化された循環搬送装置に関する。
【背景技術】
【０００２】
従来、この種の循環型飲食物搬送装置が設置される飲食店舗は、飲食店舗の面積の大きさや、搬送路、テーブル等の配置が、飲食店舗ごとに異なっていたため、循環搬送装置を受注後、それぞれの飲食店舗の要求に沿って生産し、生産した循環搬送装置を飲食店舗に搬入し、その後設置するようにしていた。このため、受注生産により手間がかかり、受注から設置までの日数が長期化するといった問題や、現場での組み立て作業に時間がかかるという問題があった。
【０００３】
そこで、循環搬送装置の組み立て作業を容易とするために、搬送路と、テーブルとをユニット化し、それらの搬送路ユニットとテーブルユニットとを保持することで組み立て式とした循環移送コンベアがある（例えば、特許文献１参照）。
【先行技術文献】
【特許文献】
【０００４】
【特許文献１】特開２００７−２３０６７６号公報（段落００１０、図１）
【発明の概要】
【発明が解決しようとする課題】
【０００５】
上記特許文献１に記載の組み立て式循環移送コンベアにあっては、搬送路ユニットどうしを連結する場合に、係合接続板を差し込んでそれぞれをビスなどで連結しなければならず、搬送路ユニットの数が増えるほどその作業工程も増えてしまい、組み立て作業に時間がかかり、作業も複雑化していた。
【０００６】
本発明は、このような問題点に着目してなされたもので、組み立て作業が行いやすいユニット化された循環搬送装置を提供することを目的とする。
【課題を解決するための手段】
【０００７】
前記課題を解決するために、本発明のユニット化された循環搬送装置は、
循環搬送路を備えるユニット化された循環搬送装置において、
前記循環搬送路の一部を構成する循環搬送路ユニットと、
前記循環搬送路ユニットを載置する架台ユニットと、
前記架台ユニットに載置されるテーブルの一部を構成するテーブルユニットと、
前記循環搬送路ユニットと前記架台ユニット側とを結合させる結合部材と、
を有し、
前記架台ユニットは、前記テーブルユニットが載置されるテーブル載置部を備え、
前記循環搬送路ユニットは、前記架台ユニットの上側に載置され、
前記結合部材は、前記循環搬送路ユニットの下側に装着され、前記架台ユニット側に結合されることを特徴としている。
この特徴によれば、循環搬送装置が、循環搬送路ユニット、架台ユニット、及びテーブルユニットの三つにユニット化され、各ユニットを必要個数、店舗に搬送し、その場で組み立てることで循環搬送装置を簡単に設置することができる。この場合、まず、複数の架台ユニットを、各架台ユニット端部が接触するように連続させて床面に配置させ、各架台ユニットのテーブル載置部にテーブルユニットが載置される。また、結合部材が循環搬送路ユニットの下側に装着されるとともに、循環搬送路ユニットは、架台ユニットの上側に載置され、結合部材により、循環搬送路ユニットと前記架台ユニット側とを結合させることができる。これにより、結合部材は、循環搬送路ユニットの下側に装着されるので目隠しされるとともに、架台ユニット側に結合されるので両者を安定して固定できる。このため、隣り合う循環搬送路ユニットどうしを接続する必要がなく、循環搬送路ユニットが連続するように並べて、夫々の循環搬送路ユニットと架台ユニットとを結合させるだけで、循環搬送装置を構成できる。このため、組み立て作業を簡素化でき、作業能率も向上させることができ、設置が容易なユニット化された循環搬送装置を構成できる。
【０００８】
本発明のユニット化された循環搬送装置は、
前記テーブルユニットは、前記架台ユニットの前記テーブル載置部に載置された際に、前記テーブル載置部に固定され、
前記結合部材は、前記架台ユニットに前記循環搬送路ユニットが載置された際に、前記架台ユニット側である前記テーブル載置部に載置された前記テーブルユニットに結合されることを特徴としている。
この特徴によれば、テーブルユニットは、前記架台ユニットの前記テーブル載置部に載置された際に、前記テーブル載置部に固定され、その後、結合部材は、前記架台ユニットに前記循環搬送路ユニットが載置された際に、前記架台ユニット側である前記テーブル載置部に載置された前記テーブルユニットに結合される。結合部材が固定され、循環搬送路ユニットと架台ユニット側のテーブルユニットとが結合される。結合部材により、循環搬送路ユニットとテーブルユニットとを結合するだけでなく、テーブルユニットが架台ユニットに固定されているため、循環搬送路ユニットを架台ユニットに結合することができる。
【０００９】
本発明のユニット化された循環搬送装置は、
前記結合部材は、前記循環搬送路ユニットの前記循環搬送路の幅の長さに対応する長辺部を備え、
前記循環搬送路ユニットは、前記結合部材を保持する保持部を備えることを特徴としている。
この特徴によれば、結合部材は、循環搬送路ユニットの幅方向に、長辺部が沿うように配置され、保持部により保持されるので、ビス止めされた後は、結合部材が固定され、循環搬送路ユニットと架台ユニット側のテーブルユニットとが結合される。結合部材により、循環搬送路ユニットとテーブルユニットとを結合するだけでなく、テーブルユニットが架台ユニットに固定されているため、循環搬送路ユニットを架台ユニットに結合することができる。
【００１０】
本発明のユニット化された循環搬送装置は、
前記結合部材は、他の部材の下側に接触する他部材載置面と、前記架台ユニットの上面側に接触する架台接触面を備えるハット形状で構成されることを特徴としている。
この特徴によれば、結合部材は、循環搬送路ユニットの下面に装着されるので目隠しされるとともに、架台接触面が、架台ユニットの上面側に接触することで、ずれないように安定して固定できる。このため、隣り合う循環搬送路ユニットどうしを接続する必要がない。この場合、架台ユニットの上面側には、テーブル載置部に載置されたテーブルユニットの上面も含まれる。また、結合部材は、他の部材を他部材載置面に載置させることで、例えば、ごみ受け等の他の部材を載置することができる。
【００１１】
本発明のユニット化された循環搬送装置は、
前記架台ユニットは、当該架台ユニットに前記循環搬送路ユニットが載置された際に、当該架台ユニットの上面と当該循環搬送路ユニットの下面との間に線路を配置する架台配線受け部を、当該架台ユニットの上面に備えることを特徴としている。
この特徴によれば、架台ユニットは、循環搬送路ユニットを載置するとともに、その上面は、循環搬送装置に必要な電源線などの線路を配置する架台配線受け部としても機能するため、配線の引き回しを、架台ユニットの上面の配線受け部に配置するだけで簡単に行うことができ、また、邪魔になりやすい配線をまとめて収容することができ、さらに、循環搬送路ユニットが載置されるので、配線受け部の配線を目隠しすることができる。このように構成することで、別途配線用のダクトを設ける必要が無くなる。
【００１２】
本発明のユニット化された循環搬送装置は、
前記循環搬送装置は、隣り合う二つの架台ユニットを接続する接続ユニットを有し、
前記架台ユニットは、前記接続ユニットの一端が接続される接続部を備え、
前記循環搬送路ユニットは、前記架台ユニットおよび前記接続ユニットの上側に載置され、前記架台ユニット側に結合されることを特徴としている。
この特徴によれば、接続ユニットにより、隣り合う二つの架台ユニットを接続させることができる。この場合、まず、複数の架台ユニットを、それぞれ間隔をあけて床面に配置し、この架台ユニットの接続部に、接続ユニットの一端が接続され、また、この接続ユニットの他端を隣り合う架台ユニットの接続部に接続させることで、架台ユニットを連続させて設ける必要がない。
【００１３】
本発明のユニット化された循環搬送装置は、
前記架台ユニットは、配管を配置する配管受け部と、当該架台ユニットの下側に配置されるカバー部材を取り付けるカバー取付け部と、当該架台ユニットを床面に固定する固定部と、前記循環搬送路の駆動部を取り付ける駆動部取付け部とのうち少なくとも一つを備えることを特徴としている。
この特徴によれば、架台ユニットに、循環搬送装置において必要な、配管受け部、カバー取付け部、固定部、駆動部取付け部を設けることができる。これにより、配管受け部に配管を配置し、カバー取付け部に当該架台ユニットの下側に配置されるカバー部材を取り付け、固定部において当該架台ユニットを床面に固定し、駆動部取付け部に、前記循環搬送路の駆動部を取り付けることができる。
【図面の簡単な説明】
【００１４】
【図１】本発明の実施例におけるユニット化された循環搬送装置の全体像を示す平面図である。
【図２】各ユニットの接続状態を説明するための説明図である。
【図３】複数の架台ユニットを配置した際の店舗における平面図である。
【図４】架台ユニットと接続ユニットとの接続した際の店舗における平面図である。
【図５】配管を配置した際の店舗における平面図である。
【図６】テーブルユニットを配置した際の店舗における平面図である。
【図７】循環搬送路ユニットを配置した際の店舗における平面図である。
【図８】結合部材を配置した際の説明図である。
【図９】配管口を配置した際の店舗における平面図である。
【図１０】配管口を配置した際の断面図である。
【図１１】カバー部材を配置した際の断面図である。
【図１２】パイプカバーを配置した際の断面図である。
【図１３】結合部材の構成図である。
【発明を実施するための形態】
【００１５】
本発明に係るユニット化された循環搬送装置を実施するための形態を実施例に基づいて以下に説明する。
【実施例】
【００１６】
本発明の実施例におけるユニット化された循環搬送装置が適用された飲食物循環搬送装置を、図１〜図１３を参照して説明する。
【００１７】
まず図１を参照してユニット化された飲食物循環搬送装置１の組み立てが完成したときの全体構成を説明する。図１には、平面視略Ｕ型に形成された架台７が設置された店内が示されており、店内は、厨房エリア２と飲食客エリア３とが仕切り用の隔壁４で区画されている。架台７は、後述する複数の架台ユニット７０を接続ユニット６０に接続させて構成する。架台７上には、寿司等の飲食物を循環搬送する循環型飲食物搬送装置の一部を構成する循環搬送路５が形成されている。循環搬送路５は、後述する複数の循環搬送路ユニット５０を並べることで構成される。循環搬送路５は、ガイドレールが構成されており、図示しないクレセントチェーンコンベアが載置され架台７の下方に配置された駆動手段を介して駆動して循環走行することにより、クレセントチェーンコンベア上に投入された飲食物載置容器としての寿司皿上に載置された寿司等の飲食物が、厨房エリア２と飲食客エリア３とを循環走行するようになっている。また、飲食客エリア３における架台７の周囲にはテーブル８Ａ、８Ｂが配置され、テーブル８Ａ、８Ｂの周囲には図示しない座席が配置される。テーブル８Ａは、後述する複数のテーブルユニット８０Ａを並べることで構成され、テーブル８Ｂは、後述するテーブルユニット８０Ｂにより構成される。また、店内に、飲食客エリア３と入口とを隔てる隔壁４１を設けるようにしてもよい。
【００１８】
つぎに、各ユニットの構成を、図２を参照して説明する。図２に、各ユニットの接続状態を説明するための説明図を示している。図２において、本実施例において、ユニット化された飲食物循環搬送装置１は、循環搬送路５の一部を構成する循環搬送路ユニット５０（後述するように５０Ａ〜Ｄがある）と、循環搬送路ユニット５０を載置する架台ユニット７０（後述するように７０Ａ〜Ｄがある）と、架台ユニット７０に載置されるテーブルの一部を構成するテーブルユニット８０（後述するように８０Ａ、８０Ｂがある）と、隣り合う二つの架台ユニット７０、７０を接続する接続ユニット６０と、を有する。さらに、ユニット化された飲食物循環搬送装置１は、循環搬送路ユニット５０と架台ユニット７０側とを結合させる結合部材としてのハット９０を備える。接続ユニット６０は、隣り合う二つの架台ユニット７０、７０の接続長を調節する接続長調節手段である長孔６１を備える。架台ユニット７０は、接続ユニットの一端が接続される接続部としてのネジ７１と、テーブルユニット８０が載置されるテーブル載置部７２（後述するように７２Ａ、７２Ｂがある）と、循環搬送路ユニット５０が載置される搬送路載置部７３とを備える。循環搬送路ユニット５０は、架台ユニット７０の搬送路載置部７３および接続ユニット６０の上側に載置され、結合部材のハット９０は、循環搬送路ユニット５０の下側に装着され、架台ユニット７０側のテーブルユニット８０に結合される。なお、搬送路載置部７３は、循環搬送路ユニット５０が直接当接しなくてもよい。架台ユニット７０は、搬送路載置部７３をテーブル載置部７２の上側に備えるようにしてもよい。この場合、架台ユニットの上面側には、テーブル載置部に載置されたテーブルユニットの上面も含まれる。
【００１９】
接続ユニット６０は、循環搬送路ユニット５０が載置された際に、接続ユニット６０の接続面の上面と循環搬送路ユニット５０の下面との間に電源ケーブル等の線路を配置する配線受け部６２を、接続ユニット６０の接続面の上面に備えるようにしてもよい。また、架台ユニット７０は、搬送路載置部７３に循環搬送路ユニット５０が載置された際に、搬送路載置部７３の上面と循環搬送路ユニット５０の下面との間に電源ケーブル等の線路を配置する架台配線受け部７４を、搬送路載置部７３の上面に備えるようにしてもよい。
【００２０】
循環搬送路ユニット５０は、循環搬送路５の長手方向の長さを調節する搬送路長調節手段であるスライド部５１を備える。
【００２１】
図２に示すように、テーブルユニット８０Ａ、８０Ｂは、架台ユニット７０のテーブル載置部７２Ａ、７２Ｂに載置された際に、テーブル載置部７２Ａ、７２Ｂに固定され、結合部材のハット９０は、架台ユニット７０の搬送路載置部７３に循環搬送路ユニット５０が載置された際に、架台ユニット７０側であるテーブル載置部７２Ａ、７２Ｂに載置されたテーブルユニット８０Ａ、８０Ｂに結合される。この場合、テーブル載置部７２Ａ、７２Ｂの上側に循環搬送路ユニットを載置するので、循環搬送路ユニットとテーブル載置部とによりテーブルユニットを挟み込んで押さえることができ、テーブルユニットが架台ユニットから外れにくくすることができる。
【００２２】
つぎに、ユニット化された飲食物循環搬送装置１の据え付け作業の工程を図３〜図１３を参照して説明する。図３〜図７及び図９に、据え付け作業手順毎の店舗における平面図を示し、図８に結合部材を配置した際の説明図を示し、図１３に結合部材の構成図を示す。また、図１０〜図１２は、据え付け作業手順毎の架台ユニット７０の図９におけるＡ−Ａ断面矢視図を示している。
【００２３】
まず、上述した各ユニットを必要数、店舗に搬入し、図３に示すように、据え付け作業１として、架台ユニット７０を、間隔をあけて床面に配置する。この場合、基準位置から寸法出しを行い、直列に揃うように並べる。架台ユニット７０は、図３に示すように、７０Ａ〜Ｄの４種類が用意されている。図２に示すように、架台ユニット７０Ａ、７０Ｃは、搬送方向に対して左右の一方にカウンタテーブルであるテーブルユニット８０Ａを載置できるように、２本の棒状のテーブル載置部７２Ａが形成され、搬送方向に対して左右の他方に、４人用のテーブルであるテーブルユニット８０Ｂを載置できるように、搬送方向に沿ってテーブル載置部７２Ｂが形成されている。架台ユニット７０Ｂ、７０Ｄは、搬送方向に対して左右の両方に、４人用のテーブルであるテーブルユニット８０Ｂを載置できるように、搬送方向に沿ってテーブル載置部７２Ｂが形成されている。架台ユニット７０Ｃ、７０Ｄには、循環搬送路のモータ等の駆動部を取り付ける駆動部取付け部７９が設けられている。架台ユニット７０Ａ〜Ｄは、搬送路載置部７３の側面７５が、テーブルユニット８０を載置する際のガイドを兼ねており、搬送路載置部７３の側面７５に各テーブルユニット８０のテーブルの側壁を接触させることで位置合わせを行うことができる。また、架台ユニット７０Ａ〜Ｄには、テーブルユニット８０の搬送路方向における位置決めを行うガイドをさらに備えている。架台ユニット７０Ａ〜Ｄは、図５に示すように、架台ユニット７０Ａ〜Ｄは、配管３１を配置する配管受け部７６と、架台ユニット７０の下側に配置されるカバー部材のスカート３５、３６を取り付けるカバー取付け部７７Ａ、７７Ｂと、架台ユニット７０をビスなどで床面に固定する固定部７８とを備える。また、厨房側は、架台ユニット７０を配置してもよいし、テーブルを載置しないため格子状の架台２１を設けておくようにしてもよい。
【００２４】
つぎに、据え付け作業２として、図４に示すように、架台ユニット７０と、架台ユニット７０とを接続させる接続ユニット６０を配置する。図２に示すように、架台ユニット７０の搬送路載置部７３には、端部にボルト７１などが下側から留めつけられており、接続ユニット６０の接続長調節手段である長孔６１にボルト７１を挿入し、長手方向の寸法を調節して位置決めしてナットで止めることで固定する。この固定する位置により、接続ユニット６０の長さを調整できる。接続ユニットの接続長調節手段を備えることで、隣り合う二つの架台ユニットの間隔に対応する接続長を調節することができ、店舗の大きさにあうような長さの搬送路を載せる架台を構成することができる。また、接続長調節手段として、複数の孔や複数の長孔を、一列に間隔を空けて設けるようにしておいてもよい。さらに、接続長調節手段としては、長さの異なる接続ユニットを複数設けおき、設置場所の長さに対応するような接続ユニットを適宜選択して調整するような構成も含まれる。
【００２５】
つぎに、据え付け作業３として、図５に示すように、架台ユニット７０に、配管３１を配置する。配管３１も、所定の長さの配管ユニットを複数連結させようにしてもよいし、樹脂製の配管を適当な長さで切断して利用することができる。配管３１は、図２に示すように、架台ユニット７０の配管受け部７６に配置される。また、配管３１は、図示されていないヒーターを備える給湯タンクの給湯用強制循環ポンプが接続される。また、据え付け作業３において、接続ユニット６０の配線受け部６２と、架台ユニット７０の架台配線受け部７４に、電源ケーブル等の線路を配置するようにしてもよい。接続ユニット６０は、隣り合う架台ユニット７０を接続させることができるとともに、その上面は、循環搬送装置に必要な電源線などの線路を配置する配線受け部６２としても機能するため、配線の引き回しを、接続ユニット６０の上面の配線受け部に配置するだけで簡単に行うことができる。さらに、架台ユニット７０の搬送路載置部７３も、循環搬送路ユニット５０を載置するとともに、その上面は、循環搬送装置に必要な電源線などの線路を配置する架台配線受け部７４としても機能するため、配線の引き回しを、接続ユニットの上面の配線受け部に配置するだけで簡単に行うことができまた、邪魔になりやすい配線をまとめて収容することができ、さらに、循環搬送路ユニットが載置されるので、配線受け部の配線を目隠しすることができる。このように構成することで、別途配線用のダクトを設ける必要が無くなる。
【００２６】
つぎに、据え付け作業４として、図６に示すように、架台ユニット７０のテーブル載置部７２に、テーブルユニット８０Ａ、８０Ｂを配置する。図２に示すように、架台ユニット７０は、搬送路載置部７３の側面７５が、テーブルユニット８０Ａ、８０Ｂを載置する際のガイドを形成しており、搬送路載置部７３の側面７５に各テーブルユニット８０Ａ、８０Ｂのテーブルの側壁を接触させることで位置合わせを行うことができ、テーブルユニット８０Ａ、８０Ｂは、架台ユニット７０のテーブル載置部７２Ａ、７２Ｂに載置され、テーブル載置部７２Ａ、７２Ｂに、各テーブルの下側からブラケット等を介してビス９６で固定される（図１０〜図１２を参照のこと）。テーブルユニット８０Ａを複数連続して配置することでカウンタテーブル８Ａを構成できる。また、架台ユニット７０は、各脚の高さ調節を行えるように上下にスライドするスライド機構を備えており、両端、中央の架台ユニット７０の高さが揃うように、架台ユニット７０の脚の高さ調節を行うことができる。
【００２７】
つぎに、据え付け作業５として、図７に示すように、架台ユニット７０の搬送路載置部７３と接続ユニット６０の上側に循環搬送路ユニット５０を載置する。循環搬送路ユニット５０は、循環搬送路ユニット５０Ａ〜５０Ｄのように複数種類備えており、スレンレス板などにより一体に形成される。また、循環搬送路ユニット５０は、クレセントチェーンコンベヤが配置可能な飲食容器搬送用のガイドレール５３が二本長手方向に延びて構成されており、ガイドレール５３の中央には、長手方向に切り欠けられた溝５４が開けられている。図１０に示すように、循環搬送路ユニット５０は、底は開いた状態で幅方向断面が略コ字状で内部は空洞であり、長手方向の側壁から下側に延びた部分が内側に折れ曲げられて、ハット９０を保持できるような底面部分の保持部５２を備えている。循環搬送路ユニット５０Ａと、循環搬送路ユニット５０Ｂとは、搬送路長の異なる直線状の２本の搬送路を備えている。また、循環搬送路ユニット５０Ｃは、２本の搬送路が接続された折り返えし部分の循環搬送路を備えている。循環搬送路ユニット５０Ｄは、９０度方向転換用の循環搬送路を備えている。また、循環搬送路ユニット５０は、循環搬送路５の長手方向の長さを調節する搬送路長調節手段であるスライド機構のスライド部５１を備えるようにして長さを調整してもよい。そして、循環搬送路ユニット５０と架台ユニット７０側とは、結合部材のハット９０により結合される。図１３に示すように、ハット９０は、循環搬送路ユニット５０の循環搬送路５の幅の長さに対応する長辺部９１と、図示しない搬送路用ごみ受け等を載置するごみ受け載置面９３と、架台ユニット７０の搬送路載置部７３の上面側に接触し、さらにその両端部において循環搬送路ユニット５０の下側に接触する架台接触面９２と、ビス孔９４とを備え、ハット形状で構成される。ハット９０は、図８、図１０に示すように、循環搬送路ユニット５０の幅方向に、長辺部９１が沿うように配置され、循環搬送路ユニット５０の下側に装着され保持部５２で保持され、架台ユニット７０側のテーブルユニット８０にビス孔９４を介してビス９５により結合される。ビス孔９４にビス９５を止める場合は、溝５４より工具を挿入することで行うことができる。ハット９０は、循環搬送路ユニット５０の幅方向に、長辺部９１が沿うように配置され、保持部５２により保持されるので、ビス止めされた後は、ハット９０が固定され、循環搬送路ユニット５０と架台ユニット７０側のテーブルユニット８０とが結合される。ハット９０により、循環搬送路ユニット５０とテーブルユニット８０とを結合するだけでなく、テーブルユニット８０が架台ユニット７０にビス止めされているため、循環搬送路ユニット５０を架台ユニット７０に結合することができる。ハット９０は、循環搬送路ユニット５０の下面に装着されるので目隠しされるとともに、架台接触面９２が、架台ユニット７０の搬送路載置部７３の上面側に接触するとともに、その両端部において循環搬送路ユニット５０の下側に接触するのでずれないように安定して固定できる。このため、隣り合う循環搬送路ユニット５０どうしを接続する必要がない。また、ハット９０は、ごみ受け載置面９３の上側に、ごみ受け等の他の部材を載置させることができる。
【００２８】
また、据え付け作業５として、架台ユニット７０の固定部７８を床面にコンクリートビス等で構成し、テーブルユニット８０の脚部も床面に固定する。
【００２９】
つぎに、据え付け作業６として、図９、図１０に示すように、給湯カラン３２を配置する。給湯カラン３２は、配管受け部７６に配置された配管３１から延びる枝管３３を介してテーブルユニット８０の上側に取り付けられる。テーブルユニット８０には、給湯カラン３２を取り付けるための取付孔８１を備えており、給湯カラン３２をテーブルユニット８０の取付孔８１の上側からはめ込み、下側から枝管３３を取り付けて配管３１に接続させる。
【００３０】
つぎに、据え付け作業７として、図１１に示すように、架台ユニット７０の下側にカバー部材のスカート３５、３６を取り付ける。スカート３５、３６は、アルミニウムと樹脂との合板等で構成され、ユニット７０が視認できないように隙間がないようにケンドン式に取り付けられる。カバー取付け部７７Ａは、架台ユニット７０の底面部分の固定部７８にレール状に設けられ、スカート３６を差し込むことで取り付け、カバー取付け部７７Ｂは、配管受け部７６の側壁部分に設けられ、スカート３５の下部と、スカート３６の上部とをマグネットや接着シール等で取り付ける。このようにして、架台ユニット７０の周りをスカート３５、３６でカバーすることで、見た目をきれいにすることができる。
【００３１】
つぎに、据え付け作業８として、図１２に示すように、パイプカバー３４を取り付ける。パイプカバー３４は、枝管３３を覆うようにして、スカート３５に取り付けられる。
【００３２】
以上説明したような据え付け作業を行うことで、図１に示すように、ユニット化された飲食物循環搬送装置１の組み立てが完成する。
【００３３】
本実施例によれば、隣り合う架台ユニット７０は、接続ユニット６０により間隔が調整されて接続されるため、店舗の大きさにあうような長さの搬送路を載せる架台７を構成することができる。また、従来のようにユニットの切断作業を行う必要がなく、組み立て作業を簡素化でき、作業能率も向上させることができる。また、店舗において、搬送路の形状や配置を変更するときにも、これに合わせて配置換えを行って、架台の長さを調整すればよいので変更が容易となる。また、循環搬送路ユニット５０Ａ〜５０Ｄ、架台ユニット７０Ａ〜７０Ｄ、テーブルユニット８０Ａ、８０Ｂが、それぞれ複数種類用意されているため、各店舗の大きさや要求される配置に対応可能で、設置が容易なユニット化された循環搬送装置を構成できる。ユニット毎に搬入できるので、搬入が容易であり、飲食物循環搬送装置１全体の梱包容量も少なく済む。また、事前に工場内で寸法を合わせるために組み立て作業を行う必要が無くなる。また、配線を、接続ユニット６０および架台ユニット７０の上面に設けられた配線受け部に配置するだけで済むので、配線の引き回しが簡単になり、別途ダクトを設ける必要がない。尚、前記配線は配管受け部７６に配置することもできる。
【００３４】
また、本実施例によれば、ハット９０が循環搬送路ユニット５０の下側に装着された後に、循環搬送路ユニット５０が、架台ユニット７０の搬送路載置部７３および接続ユニット６０の上面に載置され、ハット９０により、循環搬送路ユニット５０と架台ユニット７０側とを結合させることができる。これにより、ハット９０は、循環搬送路ユニット５０の下側に装着されるので目隠しされるとともに、架台ユニット７０側に結合されるので両者を安定して固定できる。このため、隣り合う循環搬送路ユニット５０どうしを接続する必要がなく、循環搬送路ユニット５０が連続するように並べて、夫々の循環搬送路ユニット５０と架台ユニット７０とを結合させるだけで、飲食物循環搬送装置１を構成できる。このため、組み立て作業を簡素化でき、作業能率も向上させることができ、設置が容易なユニット化された飲食物循環搬送装置１を構成できる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、接続長調節手段としては、上述したような長孔６１、ボルト７１、ナットで構成する代わりに、長さを調整できる二重のスライド板から構成される接続ユニットを用いてもよい。接続ユニットの接続長調節手段を備えることで、隣り合う二つの架台ユニットの間隔に対応する接続長を調節することができ、店舗の大きさにあうような長さの搬送路を載せる架台を構成することができる。
【００３７】
また、結合部材としては、ハット９０以外にもブラケットなどにより結合させてもよい。
【００３８】
循環搬送路５は、クレセントチェーンコンベア以外でもローラ式のコンベア等の搬送部材を適用してもよい。
【００３９】
また、前述した実施例においては、接続ユニットを設けているが、接続ユニットを設けずに、複数の架台ユニットを、各架台ユニット端部が接触するように連続させて床面に配置させてもよい。この場合にも、結合部材が循環搬送路ユニットの下側に装着された後に、循環搬送路ユニットは、架台ユニットの搬送路載置部の上面に載置され、結合部材により、循環搬送路ユニットと前記架台ユニット側とを結合させることができるので、隣り合う循環搬送路ユニットどうしを接続する必要がなく、循環搬送路ユニットが連続するように並べて、夫々の循環搬送路ユニットと架台ユニットとを結合させるだけで、循環搬送装置を構成できる。このため、組み立て作業を簡素化でき、作業能率も向上させることができ、設置が容易なユニット化された循環搬送装置を構成できる。
【符号の説明】
【００４０】
１            循環型飲食物搬送装置
２            厨房エリア
３            飲食客エリア
４、４１      隔壁
５、          循環搬送路
７            架台
８Ａ、８Ｂ    テーブル
５０、５０Ａ〜５０Ｄ      循環搬送路ユニット
６０          接続ユニット
７０、７０Ａ〜７０Ｄ      架台ユニット
８０、８０Ａ、８０Ｂ      テーブルユニット
９０          ハット
３１          配管
３２          給湯カラン
３３          枝管
３４          パイプカバー
３５、３６    スカート
５１          スライド部
５２          保持部
５３          ガイドレール
５４          溝
６１          長孔
６２          配線受け部
７１          ネジ
７２Ａ、７２Ｂ          テーブル載置部
７３          搬送路載置部
７４          架台配線受け部
７５          側面
７６          配管受け部
７７Ａ、７７Ｂ          カバー取付け部
７８          固定部
７９          駆動部取付け部
８１          取付孔
９１          長辺部
９２          架台接触面
９３          ごみ受け載置面
９４          ビス孔
９５、９６    ビス
【図１】
2013202114.tif 000003
【図２】
2013202114.tif 000004
【図３】
2013202114.tif 000005
【図４】
2013202114.tif 000006
【図５】
2013202114.tif 000007
【図６】
2013202114.tif 000008
【図７】
2013202114.tif 000009
【図８】
2013202114.tif 000010
【図９】
2013202114.tif 000011
【図１０】
2013202114.tif 000012
【図１１】
2013202114.tif 000013
【図１２】
2013202114.tif 000014
【図１３】
2013202114.tif 000015